(57)【特許請求の範囲】
【請求項１】
脚フレーム上の前部側に、脚フレーム前後方に移動可能に設けた可動座部と、前記脚フレーム上の後部側に、起伏可能に取り付けた背フレームに支持する背部とを備え、前記可動座部と背部とは、可動支持機構により、可動座部を前記脚フレームに沿って前後方に移動させることで前記背フレームを連動させて背部を起伏させる構成とし、前記可動支持機構は、前記背フレーム基端側に末端側を屈曲自在に連結すると共に、先端側を前記可動座部側に上下動可能に保持した操作部材と、前記脚フレーム側に設けて、前記操作部材の先端側を係脱可能に拘束する操作部材受部とを備え、前記背部は、背フレームとは独立して回動可能に前記脚フレーム上の後部側に取り付ける構成としたことを特徴とするベッド変換機能を備えた椅子装置。
【請求項２】
前記背フレームは、略コ型形状のパイプ枠で構成し、前記背フレーム両基端側近傍に、末端側を回動自在に取り付けた背ロッドの中間部位に前記背部の裏面部に回動自在に取り付けて前記背部を支持するようにし、前記背ロッドの両端部を前記背フレーム両基端側近傍を介して前記脚フレーム上部の後部側に回動自在に取り付ける構成としたことを特徴とする請求項１記載のベッド変換機能を備えた椅子装置。
【請求項３】
前記可動座部には、脚フレームに沿って前記可動座部を案内するための座部ガイド部材を可動座部裏面側に設け、この座部ガイド部材に、前記操作部材の先端側を上下動可能に挿通して保持するための遊嵌結合部を設けたことを特徴とする請求項１記載のベッド変換機能を備えた椅子装置。
【請求項４】
前記操作部材は、棒部材を加工した、一対の連動伝達部と、連動伝達部先端側に取り付けた操作部と、操作部近傍に、連動伝達部に直交するように設けて前記座部ガイド部材に上下動可能に挿通すると共に、前記脚フレーム側の操作部材受部に係止させてなる横軸部とによって構成したことを特徴とする請求項１または３記載のベッド変換機能を備えた椅子装置。
【請求項５】
前記操作部材受部は、前記操作部材の横軸部を座部ガイド部材の遊嵌結合部に挿通した状態で、前記横軸の両端部を係止させることで可動座部を係脱可能に拘束する、脚フレーム後方側に傾斜して形成した係止溝を備えたことを特徴とする請求項４記載のベッド変換機能を備えた椅子装置。
【発明の詳細な説明】
【０００１】
【発明の属する技術分野】
本発明は、病室等において、付添人が椅子として勿論、ベッドとしても使えるようにした、ベッド変換機能を備えた椅子装置に関するものである。
【０００２】
【従来の技術】
現在、病室のベッド傍らに配備されている、付添人が使用するための椅子のうち、フレームを変位させて、座面をずらし、背もたれを倒伏してベッドとして使用できるようにした椅子１がある（図９参照）。
かかる椅子１では、椅子として使用する場合、座部２の裏面側に、フレーム３に対し、椅子１前方へずれないようにするためのストッパ４が設けられており、ベッドとして使用する際に、前記座部２前部を持ち上げてストッパ４をフレーム３から外し、座部２椅子前方へ引っ張ることで、背もたれ５を支える背パイプ６が、フレーム３内のガイド手段７と連結した連動リンク８によって、フレーム３との軸止め箇所９を中心に変位して倒伏していき、前記背パイプ６上に、背もたれ５を載せてベッドの形態にもたらすようにしている。
【０００３】
【発明が解決しようとする課題】
このように、前記椅子１では、座部２を持ち上げることで、簡単にベッドの形態にもたらすことができるので、反面、椅子１を運ぶ際、座部２を持ちながら運ぶと、座部２がフレーム３の所定の位置から外れてずれてしまい、背パイプ６が倒れてしまうという不都合があった。
本発明は、かかる不都合を改善するために提案されたものであって、椅子へ、またはベッドへの変換操作性の簡敏さは損なわずに、運ぶ際に、座部を簡単に外れないようにロックできる構成とした、ベッド変換機能を備えた椅子装置を提供することを目的とする。
【０００４】
【課題を解決するための手段】
前記した課題を解決するために、本発明では、請求項１において、脚フレーム上の前部側に、脚フレーム前後方に移動可能に設けた可動座部と、前記脚フレーム上の後部側に、起伏可能に取り付けた背フレームに支持する背部とを備え、前記可動座部と背部とは、可動支持機構により、可動座部を前記脚フレームに沿って前後方に移動させることで前記背フレームを連動させて背部を起伏させる構成とし、前記可動支持機構は、前記背フレーム基端側に末端側を屈曲自在に連結すると共に、先端側を前記可動座部側に上下動可能に保持した操作部材と、前記脚フレーム側に設けて、前記操作部材の先端側を係脱可能に拘束する操作部材受部とを備え、前記背部は、背フレームとは独立して回動可能に前記脚フレーム上の後部側に取り付ける構成としたベッド変換機能を備えた椅子装置を提案する。
また本発明では、請求項２において、前記背フレームは、略コ型形状のパイプ枠で構成し、前記背フレーム両基端側近傍に、末端側を回動自在に取り付けた背ロッドの中間部位に前記背部の裏面部に回動自在に取り付けて前記背部を支持するようにし、前記背ロッドの両端部を前記背フレーム両基端側近傍を介して前記脚フレーム上部の後部側に回動自在に取り付ける構成としたベッド変換機能を備えた椅子装置を提案する。
また本発明では、請求項３において、前記可動座部には、脚フレームに沿って前記可動座部を案内するための座部ガイド部材を可動座部裏面側に設け、この座部ガイド部材に、前記操作部材の先端側を上下動可能に挿通して保持するための遊嵌結合部を設けたベッド変換機能を備えた椅子装置を提案する。
また本発明では、請求項４において、前記操作部材は、棒部材を加工した、一対の連動伝達部と、連動伝達部先端側に取り付けた操作部と、操作部近傍に、連動伝達部に直交するように設けて前記座部ガイド部材に上下動可能に挿通すると共に、前記脚フレーム側の操作部材受部に係止させてなる横軸部とによって構成したベッド変換機能を備えた椅子装置を提案する。
さらに本発明では、請求項５において、前記操作部材受部は、前記操作部材の横軸部を座部ガイド部材の遊嵌結合部に挿通した状態で、前記横軸の両端部を係止させることで可動座部を係脱可能に拘束する、脚フレーム後方側に傾斜して形成した係止溝を備えたベッド変換機能を備えた椅子装置を提案する。
【０００５】
請求項１によれば、操作部材の先端側を操作部材受部から持ち上げると共に、前記可動座部を脚フレーム前方へ引っ張ることで、前記操作部材の先端側が操作部材受部から離脱し、前記可動座部を前記座部ガイド部材を介して脚フレームに沿って脚フレーム前方へ移動させると共に、操作部材を背フレーム基端側との連結箇所を中心に変位させて前記背フレームを連動倒伏させ、背フレームにて支える背部を倒伏させることができる。
【０００６】
請求項２によれば、背部を持ち上げて、脚フレーム上部の後部側に背フレームを介して取り付けた背ロッドを回動させることで、前記背部を可動座部側に隙間なく移動載置することができる。
【０００７】
請求項３によれば、椅子装置を運搬の際に可動座部を持ち上げて、座部ガイド部材の遊嵌結合部が上がっても、操作部材の先端側は操作部材受部に係止したままであるので、可動座部は移動することはなく、椅子装置は椅子状態を維持する。
【０００８】
請求項４によれば、可動座部を持ち上げると共に、操作部材の操作部を持ち上げることで、連動伝達部が変位し、横軸部を脚フレーム側の操作部材受部から離脱させることができ、可動座部を脚フレーム前方側へ移動できるようになる。
【０００９】
請求項５によれば、操作部材の横軸部を、脚フレーム後方側に傾斜して形成した係止溝で、簡単には外れないように保持することができる。
【００１０】
【発明の実施の態様】
以下、本発明にかかるベッド変換機能を備えた椅子装置につき、一つの実施の態様を示し、添付の図面を基に説明する。
図１に、ベッド変換機能を備えた椅子装置１０の一例を示す。
この椅子装置１０は、脚フレーム１１上に可動座部１２を可動支持機構１３を介して脚フレーム１１前後方に移動可能に装着し、前記脚フレーム１１上の後部側に起伏可能に設けた背フレーム１４に背を受ける背部１５を支持する構成としている。
【００１１】
前記脚フレーム１１は、パイプ部材で構成し、一対の前脚部１１ａ，１１ａと、後脚部１１ｂ，１１ｂと、前脚部１１ａ，１１ａと後脚部１１ｂ，１１ｂとを繋ぐ縦梁部１１ｃ，１１ｃとを有している。
前記一対の前脚部１１ａ，１１ａ間の幅方向寸法を、後脚部１１ｂ，１１ｂ間の幅方向寸法に比較して大としている（図２参照）。また後脚部１１ｂ，１１ｂ間の幅寸法と前記縦梁部１１ｃ，１１ｃ間の寸法を等しくしている。
【００１２】
前記可動座部１２は、詳細には説明しないが、例えば合板に詰め物として異なる硬さ、および形態のウレタンフォーム材を積層して、表面をさらにウレタンフォーム材で覆う一方、裏面を不織布で覆って構成している。また、前記背部１５においても同構成としている。
【００１３】
次に前記可動支持機構１３について説明する。すなわち可動支持機構１３は、前記可動座部１２裏面に取り付けた座部ガイド部材１６と、この座部ガイド部材１６と前記背フレーム１４基端側とを、背フレーム１４基端側に末端側を屈曲自在に接続すると共に、先端側を前記座部ガイド部材１６に上下動可能に挿通して連結した操作部材１７とを有し、前記脚フレーム１１に、前記操作部材１７の先端側を係脱可能に支持してなる操作部材受部１８を設けている。
前記座部ガイド部材１６は、両端側に縦梁部１１ｃ，１１ｃに沿って可動座部１２を案内するためのガイド部１６ａ，１６ａと、前記操作部材１７先端側の横軸部（後述）を上下動可能に挿通してなる遊嵌結合部１６ｂ，１６ｂを設けている（図３、図４、図５参照）。
前記操作部材１７は、棒部材を加工し、側面形状への字型の一対の連動伝達部１７ａ，１７ａと、連動伝達部１７ａ，１７ａ先端側に取り付けた操作部１７ｂと、操作部１７ｂ近傍に、連動伝達部１７ａ，１７ａに直交するように設けた横軸部１７ｃとによって構成している。
さらに前記操作部材受部１８には、前記操作部材１７の横軸部１７ｃを座部ガイド部材１６の遊嵌結合部１６ｂ，１６ｂに挿通した状態で、前記横軸１７ｃの両端部を係止させることで可動座部１２を係脱可能に拘束する係止溝１８ａを形成している。この係止溝１８ａは、溝の形成方向を、脚フレーム１１後方側に若干傾斜するようにしている（図５参照）。
【００１４】
そして、前記背フレーム１４は、略コ型形状のパイプ枠で構成し、両基端側に、結合パイプ１９，１９を介し、前記操作部材１７における連動伝達部１７ａ，１７ａ末端側と、屈曲自在に連結している。
また前記略コ型形状の背フレーム１４の内側には、前記背部１５の裏面部の所定の箇所に、中間部位をホルダ部材２０を介して回動自在に取り付けて背部１５を支持し、両端部を前記背フレーム１４基端側の結合パイプ１９，１９近傍に回動自在に挿通した背ロッド２１を設けている。この背ロッド２１の両端部は、前記脚フレーム１１上の後部側に回動自在に取着している。
なお、前記背フレーム１４と操作部材１７とは、操作部材１７の横軸部１７ｃを座部ガイド部材１６の遊嵌結合部１６ｂ，１６ｂに挿通した状態で、前記横軸１７ｃの両端部を操作部材受部１８の係止溝１８ａに係止させた状態では、くの字型に屈曲した状態となっている（図３参照）。
【００１５】
以上のような椅子装置１０において、椅子装置１０の椅子状態からベッド状態に変換するときは、操作部材１７先端側の操作部１７ｂを持ち上げることで、操作部１７ｂ近傍の横軸部１７ｃが、操作部材受部１８の係止溝１８ａから上動し、係止溝１８ａの溝頂部に至る。ここで可動座部１２を脚フレーム１１前方側に引っ張れば、可動座部１２は座部ガイド部材１６ごと操作部材受部１８から外れ、可動座部１２は、座部ガイド部材１６のガイド部１６ａ，１６ａが脚フレーム１１の縦梁部１１ｃ，１１ｃに沿って移動する。
これにより、操作部材１７の連動伝達部１７ａ，１７ａは、背フレーム１４基端側の結合パイプ１９，１９を中心に変位し、背フレーム１４側も倒伏していき、前記操作部材１７の連動伝達部１７ａ，１７ａと背フレーム１４は略直線状態に展開し、背部１５は背フレーム１４に乗った状態で略水平状態に倒伏していく。背フレーム１４に乗って略水平状態に倒伏した状態では、背部１５と可動座部１２とは、間隔が生じた状態となる。
そこで、今度は、前記背部１５を持ち上げて、脚フレーム１１上の後部側に、前記背フレーム１４を介して連結した背ロッド２１の両端部が回動して、前記背部１５を可動座部１２側に隙間なく移動載置することができる（図７、図４、図６参照）。
【００１６】
なお、前記操作部材受部１８の係止溝１８ａは、溝の形成方向を、脚フレーム１１後方側に若干傾斜するようにしているので、椅子装置１を運搬の際に可動座部１２を持ち上げて、座部ガイド部材１６の遊嵌結合部１６ｂが上がっても、操作部材１７の横軸部１７ｃは、係止溝１８ａからは簡単には外れないように保持され、可動座部１２は移動することはなく、椅子装置１は椅子状態を維持する。
【００１７】
一方、ベッド状態から椅子状態に戻すときは、先ず、背部１５側を持ち上げて、背ロッド２１を動かして、前記背部１５を可動座部１２側から離れた位置にもたらし（図８参照）、次いで操作部材１７の操作部１７ｂを持ちながら、前記背フレーム１４を操作部材１７との連結箇所を中心に屈曲させるべく背部１５裏面を傾斜させ、操作部材１７先端側寄りの横軸部１７ｃを、脚フレーム１１の操作部材受部１８の係止溝１８ａに係合させることで操作が完了する（図１，図３参照）。
【００１８】
以上のように、可動座部１２を座部ガイド部材１６ごと脚フレーム１２側の操作部材受部１８から外すには、操作部材１７先端側の操作部１７ｂを持ち上げることで、操作部１７ｂ近傍の横軸部１７ｃを、操作部材受部１８の係止溝１８ａから離脱させて、可動座部１２を脚フレーム１１前方側に引っ張る操作が必要であり、従って椅子装置１０を運搬する際に、可動座部１２を持ち上げただけでは、操作部材１７の横軸部１７ｃは、斜め状に形成された係止溝１８ａからは簡単には外れないように保持され、椅子状態を維持し、取扱い性も向上する。
【００１９】
【発明の効果】
以上の通り、本発明によれば、椅子として使用したり、またベッドとして使用する際、椅子へ、またはベッドへの変換操作性の簡敏さは損なわずに、運ぶ際に、座部を簡単に外れないようにロックできる構成としたので、取扱い性が一段と向上し、使い勝手に優れる椅子装置ということができる。
【００２０】
【図面の簡単な説明】
【図１】本発明にかかるベッド変換機能を備えた椅子装置の一実施例を示す外観斜視図である。
【図２】図１に示す椅子装置の背面図である。
【図３】図１に示す椅子装置の椅子状態における縦断面図である。
【図４】図１に示す椅子装置のベッド状態における縦断面図である。
【図５】図１に示す椅子装置のフレーム構成および可動支持機構の構成を示した平面図である。
【図６】図１に示す椅子装置のベッド状態における底面方向からの図である。
【図７】本発明にかかるベッド変換機能を備えた椅子装置の作用説明図である。
【図８】本発明にかかるベッド変換機能を備えた椅子装置の作用説明図である。
【図９】従来の椅子装置の一例を示した側面図である。
【符号の説明】
１                              椅子
２                              座部
３                              フレーム
４                              ストッパ
５                              背もたれ
６                              背パイプ
７                              ガイド手段
８                              連動リンク
９                              軸止め箇所
１０                            椅子装置
１１                            脚フレーム
１１ａ                          前脚部
１１ｂ                          後脚部
１１ｃ                          縦梁部
１２                            可動座部
１３                            可動支持機構
１４                            背フレーム
１５                            背部
１６                            座部ガイド部材
１６ａ                          ガイド部
１６ｂ                          遊嵌結合部
１７                            操作部材
１７ａ                          連動伝達部
１７ｂ                          操作部
１７ｃ                          横軸部
１８                            操作部材受部
１８ａ                          係止溝
１９                            結合パイプ
２０                            ホルダ部材
２１                            背ロッド
【図１】
0003722430.tif 000002
【図２】
0003722430.tif 000003
【図３】
0003722430.tif 000004
【図４】
0003722430.tif 000005
【図５】
0003722430.tif 000006
【図６】
0003722430.tif 000007
【図７】
0003722430.tif 000008
【図８】
0003722430.tif 000009
【図９】
0003722430.tif 000010